(57)【特許請求の範囲】
【請求項１】
前後に貫通するエレメント通路（１１）を含むスライダー胴体（１）と、
前記スライダー胴体（１）の上面において取り付けられると共に前後方向を長手方向とする弾性体（２）と、
前記弾性体（２）の上方において前後に揺動可能に前記スライダー胴体（１）に支持される引手（３）とを備え、
前記引手（３）は、左右に延長すると共に前記スライダー胴体（１）に回転可能に支持される軸（３１）と、前記軸（３１）からその半径方向外側に延長する引手本体（３２）と、前記軸（３１）からその半径方向外側に突出するカム（３３）とを備え、
前記カム（３３）は、前記スライダー胴体（１）の上面の前後の一方側に前記引手（３）を倒伏させた場合に前記弾性体（２）を弾性変形させるものであり、
前記スライダー胴体（１）の上部には、前記エレメント通路（１１）の上方を覆う上翼板（４）と、前記上翼板（４）の上面であって左右から突出する一対の引手取付柱（８，８）とを備え、
前記上翼板（４）は、その上面であって一対の前記引手取付柱（８，８）の間には、凹部（４２）と、前記弾性体（２）を加締める加締め部（４３）とを備え、
前記凹部（４２）は、左右に位置する一対の側方凹部（４２ｂ，４２ｂ）と、一対の前記側方凹部（４２ｂ，４２ｂ）の間に位置すると共に前記弾性体（２）を収容する中央凹部（４２ａ）とを備え、
前記加締め部（４３）は、一対の前記側方凹部（４２ｂ，４２ｂ）の少なくとも一方から突出すると共に、その突出位置を前記中央凹部（４２ａ）の前後両端よりも中央側としてあることを特徴とするスライドファスナー用スライダー。
【請求項２】
前記中央凹部（４２ａ）は、前記弾性体（２）の前後端部を載せるための前後一対の載置面部（４２ａ１，４２ａ２）と、一対の前記載置面部（４２ａ１，４２ａ２）の間において前記載置面部（４２ａ１，４２ａ２）よりも低い低面部（４２ａ３）とを備え、
前記加締め部（４３）は、前記低面部（４２ａ３）の上方を覆っていることを特徴とする請求項１記載のスライドファスナー用スライダー。
【請求項３】
一対の前記側方凹部（４２ｂ，４２ｂ）は、その上面を前記中央凹部（４２ａ）の上面よりも高くしていることを特徴とする請求項１又は２記載のスライドファスナー用スライダー。
【請求項４】
前記上翼板（４）は、その上面であって前記凹部（４２）よりも前後の前記一方側に、前記凹部（４２）の上面よりも高い水平面の台座部（４５）を備え、
前記引手本体（３２）は、倒伏させた状態で前記台座部（４５）に面接触する平面部（３２ａ）を備えることを特徴とする請求項１、２又は３記載のスライドファスナー用スライダー。
【請求項５】
前記台座部（４５）の上面は、前記加締め部（４３）の上端に比べて上方に形成されることを特徴とする請求項４記載のスライドファスナー用スライダー。
【請求項６】
前記上翼板（４）は、前記スライダー胴体（１）の上面の前後の他方側に傾斜した状態で前記引手（３）を保持する一対のストッパー部（４４，４４）を備え、
一対の前記ストッパー部（４４，４４）は、前記上翼板（４）の上面の前後における前記他方側の先端よりも前後方向中央側に形成されることを特徴とする請求項１〜５の何れかに記載のスライドファスナー用スライダー。
【請求項７】
一対の前記ストッパー部（４４，４４）は、一対の前記側方凹部（４２ｂ，４２ｂ）であって且つ一対の前記引手取付柱（８，８）の対向面から前記中央凹部（４２ａ）へ向かって突出することを特徴とする請求項６に記載のスライドファスナー用スライダー。
【発明の詳細な説明】
【技術分野】
【０００１】
本発明は、スライドファスナー用スライダーであって、揺動可能な引手を弾性体によりスライダー胴体の上面に倒伏させた状態に保持するものに関する。
【背景技術】
【０００２】
スライダーの一例として、前後方向に貫通するエレメント通路を含むスライダー胴体と、スライダー胴体の上面に取り付けられる弾性体と、弾性体の上方において前後に揺動可能にスライダー胴体に支持される引手とを備えるものが存在する（特許文献１，２）。スライダー胴体の上面には、前後方向に延長すると共に凹む弾性体用の凹部を備え、スライダー胴体の上面であって凹部の後端の後側には、凹部内の弾性体を加締める加締め部を備えている。加締め部は、上方に突出すると共に前方に傾いた状態、つまり前傾状になっており、弾性体をその後端から少し前側の範囲にかけて上方から覆っている。さらに引手にはスライダー胴体に支持される側の端部に、弾性体に接触するカムを備えている。
【先行技術文献】
【特許文献】
【０００３】
【特許文献１】実開昭５２−６９３０５号公報
【特許文献２】意匠登録第４０７６１２号公報
【発明の概要】
【発明が解決しようとする課題】
【０００４】
ところで特許文献１，２のスライダーは、引手を回してカムで弾性体の長手方向の中央部を下方に押し込むと、弾性体は弾性変形し、その長手方向の前後端が上方へ変位しようとする。ところが弾性体の後端の上方は前傾状態の加締め部によって覆われているので、弾性体の後端から加締め部を押し上げる力が作用する。何度も引手を回しているうちに、加締め部が押し上げられて、その前傾が不十分になり、弾性体が凹部から外れやすくなる。
【０００５】
また加締め部は前傾しているので、加締め部と弾性体との上下間の隙間は、加締め部の先端に向かうにつれて広くなっていく。さらに弾性体を大量生産すると、弾性体の寸法は製品毎に微妙に異なるものとなるので、良品と不良品を区別するために公差が定められる。公差内のうち長手方向の寸法が最大寸法のものであれば、弾性体は凹部内で前後に殆どがたつきなく収容される。その結果、弾性体の後端は、凹部の後端の近傍に位置し、前傾した加締め部の下端の近傍に位置することになる。いっぽう公差内のうち長手方向の寸法が最小寸法のものであれば、弾性体は凹部内で前後に隙間のある状態で収容されることになる。そうすると場合によっては弾性体の後端は、凹部の後端から少し離れた所に位置し、前傾した加締め部の高さ中間部側に位置することもあり得る。この場合、弾性体の後端と加締め部との上下間の隙間が広くなり、スライダーを組み立てた時点から弾性体は外れやすい状態になっている。
【０００６】
また特許文献１のスライダーでは、凹部の後端の近傍に相当する位置で加締め部に引手が接触する構造になっている。接触箇所は引手の傷となり、外観に悪影響を与える。したがって引手は、仮に傷が付くとしても、できるだけ目立ち難いように、加締め部との接触箇所を軸側に近くすることが望ましい。
【０００７】
かといって特許文献２のスライダーのように、加締めに衝突しないように引手に凹みを設けると、加締め部との接触による傷は無くなるが、引手が凹みのある形態となり、引手の外観に悪影響を与えることになる。
【０００８】
本発明は上記実情を考慮して創作されたもので、その目的は少なくとも弾性体が外れ難いスライダーを提供することである。
【課題を解決するための手段】
【０００９】
本発明のスライドファスナー用スライダーは、前後に貫通するエレメント通路を含むスライダー胴体と、スライダー胴体の上面において取り付けられると共に前後方向を長手方向とする弾性体と、弾性体の上方において前後に揺動可能にスライダー胴体に支持される引手とを備える。引手は、左右に延長すると共にスライダー胴体に回転可能に支持される軸と、軸からその半径方向外側に延長する引手本体と、軸からその半径方向外側に突出するカムとを備える。カムは、スライダー胴体の上面の前後の一方側に引手を倒伏させた場合に弾性体を弾性変形させるものである。スライダー胴体の上部には、エレメント通路の上方を覆う上翼板と、上翼板の上面であって左右から突出する一対の引手取付柱とを備える。上翼板は、その上面であって一対の引手取付柱の間には、凹部と、弾性体を加締める加締め部とを備える。凹部は、左右に位置する一対の側方凹部と、一対の側方凹部の間に位置すると共に弾性体を収容する中央凹部とを備える。加締め部は、一対の側方凹部の少なくとも一方から突出すると共に、その突出位置を中央凹部の前後両端よりも中央側としてある。
【００１０】
また加締め部の位置は、弾性変形したときの弾性体に接触し難い位置であることが望ましい。それには次のようにする。
すなわち、中央凹部は、弾性体の前後端部を載せるための前後一対の載置面部と、一対の載置面部の間において載置面部よりも低い低面部とを備えるものとし、その上で、加締め部は、低面部の上方を覆っていることである。
【００１１】
さらに一対の側方凹部の上面と中央凹部の上面との高さの関係は問わない。しかし一対の側方凹部の方が中央凹部よりも低いと、中央凹部の上に載せた弾性体が側方凹部の方にずれ動くおそれがある。したがって弾性体を位置決めし易くするには、次のようにすることが望ましい。
すなわち、一対の側方凹部は、その上面を中央凹部の上面よりも高くすることである。
【００１２】
また引手を倒伏させたときに引手本体がスライダー胴体に対してどのように接触するかは問わないが、その接触によって発生する傷を目立ち難くするには、次のようにすることが望ましい。
すなわち、上翼板は、その上面であって凹部よりも前後の前記一方側に、凹部の上面よりも高い水平面の台座部を備えるものとし、引手本体は、倒伏させた状態で台座部に面接触する平面部を備えることである。
【００１３】
加締め部の上端の高さは問わないが、台座部の上面よりも高いと、加締め部のみが引手本体に接触する恐れがある。かとって接触を避けようとすると、引手本体の形状はたとえば加締め部に対向する部分を凹ませるようにしなければならず、引手の外観に影響を与えるようになる。それを防ぐには次のようにすることが望ましい。
すなわち、台座部の上面は、加締め部の上端に比べて上方に形成されることである。
【００１４】
またスライダー胴体の上面の前後の他方側に引手を回転させたときに引手をスライダー胴体がどのように保持するかは問わないが、保持した際に引手に発生する傷を目立ち難くするには次のようにすることが望ましい。
すなわち上翼板は、スライダー胴体の上面の前後の他方側に傾斜した状態で引手を保持する一対のストッパー部を備えるものとし、その上で一対のストッパー部は、スライダー胴体の上面の前後における前記他方側の先端よりも前後方向中央側に形成されることである。
【００１５】
また一対のストッパー部を破損しづらくするには次のようにすることが望ましい。すなわち、一対のストッパー部は、一対の側方凹部であって且つ一対の引手取付柱の対向面から中央凹部へ向かって突出することである。
【発明の効果】
【００１６】
本発明のスライダーによれば、従来よりも加締め部が弾性体をその前後中央側から加締めることになる。そうすると弾性変形した場合に弾性体は、前後端よりも上方への変位量が小さな部分の上方を加締め部によって覆われることになり、従来よりも加締め部は弾性体によって押し上げられ難くなる。したがってスライダーを使用しているうちに加締め部は弾性体によって塑性変形しづらくなり、弾性体が中央凹部から抜け外れ難くなる。また加締め部の位置を中央凹部の前後両端よりも中央側としてあるので、仮に加締め部との接触によって引手本体が傷つくことになっても、傷つき箇所は中央凹部の前後端よりも中央側になる。しかも上翼板の上面の側方凹部から加締め部を突出しているので、従来よりも加締め部の上端を低くでき、引手本体を傷つけ難い。これら相乗効果によって、加締め部が引手本体の外観に与える影響を小さくできる。
【００１７】
また弾性体の前後端部を載せるための前後一対の載置面部と、一対の載置面部の間において載置部よりも低い低面部とを中央凹部が備え、低面部の上方を加締め部が覆っているスライダーであれば、弾性体が下方に変位する部分の上側に加締め部が位置することになり、加締め部が弾性体によって塑性変形しづらくなり、弾性体が中央凹部から抜け外れ難くなる。また載置面部よりも前後方向中央側に加締め部は、位置することになるので、引手本体に接触するとしても、引手の外観に与える影響を小さくできる。
【００１８】
また一対の側方凹部の上面を中央凹部の上面よりも高くしてあるスライダーであれば、組立時に弾性体を位置決めし易くなる。
【００１９】
また凹部の上面よりも高い台座部を上翼板の上面に備え、台座部に面接触する平面部を引手本体に備えるスライダーであれば、例えば点接触するスライダーに比べれば引手本体が傷つき難く、引手本体の外観に与える影響を小さくできる。
【００２０】
また台座部の上面を加締め部の上端よりも上方に形成したスライダーであれば、たとえば台座部の上面を加締め部よりも低くしたスライダーに比べれば、加締め部が引手本体に接触しづらくなり、引手本体の外観に与える影響を小さくできる。
【００２１】
また一対のストッパー部を上翼板が備えるスライダーであれば、スライダー胴体の上面の前後の他方側に傾斜した状態で引手を保持するときに、一対のストッパー部が上翼板の上面の前後における他方側の先端よりも前後方向中央側において引手本体に接触するので、たとえば一対のストッパー部がスライダー胴体の上面の前後における他方側の先端において引手本体に接触するものに比べれば、接触によって生じる引手本体の傷が軸に近くなり、引手本体の外観に与える影響を小さくできる。
【００２２】
また一対の側方凹部であって且つ一対の引手取付柱の対向面から中央凹部へ向かって一対のストッパーが突出するスライダーであれば、ストッパーは引手取付柱によって安定し、破損しづらくなる。
【図面の簡単な説明】
【００２３】
【図１】本発明の第一実施形態のスライダーを示す斜視図である。
【図２】第一実施形態のスライダーを分解した状態を示す斜視図である。
【図３】第一実施形態のスライダーのスライダー胴体を示す平面図である。
【図４】図３のIV−IV線断面図である。
【図５】引手を後側に倒伏させた状態の第一実施形態のスライダーを示す平面図である。
【図６】図５のVI−VI線断面図である。
【図７】（ア）（イ）図は、図６のＡ部拡大図、Ｂ部拡大図である。
【図８】図５のVIII−VIII線断面図である。
【図９】引手を前側に傾斜させた状態の第一実施形態のスライダーを示す断面図である。
【図１０】図６のX−X線断面図である。
【図１１】図９のXI−XI線で切断された部分の端面のみを示す端面図である。
【図１２】引手を後側に傾斜させた状態の第一実施形態のスライダーを示す断面図である。
【図１３】図１２のＣ部拡大図である。
【図１４】第一実施形態の変形例のスライダーで用いるスライダー胴体を示す斜視図である。
【図１５】本発明の第二実施形態のスライダーで用いるスライダー胴体を示す斜視図である。
【図１６】本発明の第三実施形態のスライダーを分解した状態を示す斜視図である。
【発明を実施するための形態】
【００２４】
本発明の第一実施形態のスライドファスナー用スライダーＳは図１，２に示すように、スライダー胴体１と、スライダー胴体１の上面に取り付けられる弾性体２と、弾性体２の上方で前後に揺動可能にスライダー胴体１に支持される引手３とを備える。スライダー胴体１、弾性体２、引手３は、材料を問わないが、一例としては金属製である。
【００２５】
以後、図５を基準にして、方向を説明する。前後方向とは、スライドファスナーを開閉するためにスライダー胴体１を移動させる方向であり、図５での上下方向である。図５での上方向は、前方向であり、且つスライドファスナーの一対のエレメント列を噛合させる方向であり、図５での下方向は、後方向であり、且つ一対のエレメント列を分離させる方向である。左右方向とは、図５での左右方向である。上下方向とは、図５での紙面に対する直交方向であり、上方向とは手前側の方向であり、下方向とは奥側の方向である。
【００２６】
引手３は図２，５，６に示すように、左右に延長する軸３１と、軸３１からその半径方向外側に延長する引手本体３２と、軸３１からその半径方向外側であって引手本体３２の延長方向とは異なる方向に突出するカム３３とを備える。
【００２７】
引手本体３２は、指で摘まむ部分であって、長辺と短辺を有する細長い矩形の板状である。また引手本体３２のうち板の厚み方向を向く両面のうち一面３２ａは、引手本体３２を後側に倒伏させたときに、スライダー胴体１の上面の後側に対向する。この対向する一面３２ａは、左右方向に平行な平面部であり、引手本体３２を後側に倒伏させたときに水平面になっている。いっぽう引手本体３２のうち板の厚み方向を向く両面のうち他面３２ｂは、前記一面３２ａに対して軸３１側から先部へ向かって肉厚を厚くするように傾斜した形状になっている。また図１０、１１に示すように引手本体３２のうち短辺方向を向く両面３２ｃ，３２ｃは、左右側面であり、厚み方向の両面３２ａ，３２ｂとの近傍部分（角部）３２ｃ１を断面円弧状に膨らむ曲面としてある。また引手本体３２の左右側面３２ｃ、３２ｃは、その厚み方向中央部を最も左右方向外側に張り出した形状となっている。
【００２８】
軸３１は円柱状で、その長手方向中間部が引手本体３２と一体になっており、その長手方向両端部が引手本体３２の両側面から左右に突出している。この長手方向両端部は、スライダー胴体１に回転可能に支持される。
【００２９】
カム３３は、軸３１の長手方向中間部からその半径方向外側であって且つ引手本体３２の平面部３２ａ側へ突出している。より詳しくは図６に示すように、スライダー胴体１の上面の後側に引手本体３２を倒伏させた状態のときにカム３３は、引手本体３２の平面部３２ａであって軸３１の中心よりも前方から下方へ向かって突出している。平面部３２ａに対するカム３３の下方への突出長は、図１２，１３に示すように引手本体３２を後方に傾斜させた状態のときに弾性体２を弾性変形させるのに十分な長さとなっており、カム３３による弾性体２の弾性変形によって引手本体３２を押し込み、後側に倒伏させる。
【００３０】
弾性体２は図２に示すように、板バネであり、一定の厚みの平板であって、短辺に比べて長辺が十分に長い長方形状である。図の例では、短辺に比べて長辺が３倍以上に長くなっている。この板バネ２はスライダー胴体１に固定される。
【００３１】
スライダー胴体１は図１〜４に示すように、上下に間隔をあけて対向する上翼板４及び下翼板５、上翼板４と下翼板５を互いの前部の左右方向中央部で連結する連結柱６、上翼板４及び下翼板５の上下の間隔を狭めるように上翼板４及び下翼板５の少なくとも一方（図では両方）の左右端部から上または下に突出する一対のフランジ７，７と、左右に間隔をあけて対向する状態で上翼板４の上面の前後中央部から突出する一対の引手取付柱８，８とを備えている。
【００３２】
またスライダー胴体１は、その内部空間として、左右方向の中央部には一対のエレメント列を通すエレメント通路１１を備え、左右方向の両端部には、エレメントが取り付けられたテープを通す一対のテープ溝１２，１２を備える。
エレメント通路１１は、前後方向に貫通するもので、後側が横幅の広い一本の通路で、前側が連結柱６によって左右に二又に分岐した二本の通路になっている。またエレメント通路１１よりも上側の部分が、スライダー胴体１の上部に相当する。
テープ溝１２は、前後方向に貫通すると共に、左右方向については、スライダー胴体１の左右中央側をエレメント通路１１に連通すると共に、スライダー胴体１の左右端側を外部に開口している。
【００３３】
一対の引手取付柱８，８は、左右に間隔をあけて対向するもので、上翼板４の上面の前後中央部に形成されている。また引手取付柱８は、前後に間隔をあけて対向する前柱８１と後柱８２とを備える。引手３を取り付ける前には前柱８１と後柱８２の間には、側面視すると上向きに開口するＵ字状の軸挿入溝８３が形成されており、前柱８１と後柱８２の上端部の前後間隔は、引手３の軸３１の直径より広くなっている。また引手３を取り付けた後には、前柱８１と後柱８２は互いに接近する方向に塑性変形させられてほぼ接触しており、軸挿入溝８３が側面視して円形状の軸孔８４になり、前柱８１と後柱８２の上端部の間隔は軸３１の直径よりも狭くなる。また一対の軸孔８４，８４となる一対の軸挿入溝８３，８３の下端は、上翼板本体４１の上面のうち一対の引手取付柱８，８の左右外側よりも段差状に低く形成されている。そして一対の軸孔８４，８４の左右寸法は、軸３１の左右寸法よりも僅かに長く形成されているので、軸３１ひいては引手３は左右に殆どがたつくことなく、一対の軸孔８４，８４内で回転可能に支持される。
【００３４】
上翼板４は、エレメント通路１１の上方を覆う板状の上翼板本体４１と、上翼板本体４１の上面であって一対の引手取付柱８，８の間において凹む凹部４２と、凹部４２の上面の左右から突出する一対の加締め部４３，４３と、凹部４２の上面前側の左右から突出すると共に引手３の揺動範囲の前側を定める一対のストッパー部４４，４４と、上翼板本体４１の上面であって凹部４２よりも後側において引手３の揺動範囲の後側を定める台座部４５とを備える。
【００３５】
凹部４２は、その周囲よりも凹んでおり、一対の引手取付柱８，８の間の左右方向の全範囲に亘って形成されている。また凹部４２は、一対の引手取付柱８，８の各々に隣接する一対の側方凹部４２ｂ，４２ｂと、一対の側方凹部４２ｂ，４２ｂ間に位置する中央凹部４２ａとを備える。中央凹部４２ａは、上翼板本体４１の左右中央に位置するのが好ましいが、一対の側方凹部４２ｂ，４２ｂ間に位置していればよく、上翼板本体４１の左右中央から左右方向の一方にずらした位置に形成してもよい。
【００３６】
中央凹部４２ａは平面視すると、一対の軸挿入溝８３，８３を結ぶ直線に対して直交するように前後方向に延長する長方形状で、しかも前後及び左右方向の寸法を板バネ２の寸法よりも少し大きくしてある。また中央凹部４２ａの上面（底面）の前後端部は、上下方向において、同じ高さに形成されると共に、上面の中央部（前後端部の間の部分）よりも高く形成されている。また図６，７に示すように中央凹部４２ａの上面の前後端部は、板バネ２を載せる一対の載置面部４２ａ１，４２ａ２であると共に、水平面であり、前側の載置面部４２ａ１は、後側の載置面部４２ａ２よりも前後寸法を短くしてある。また中央凹部４２ａの中央部は、一対の載置面部４２ａ１，４２ａ２の間に位置し、一対の載置面部４２ａ１，４２ａ２よりも低い低面部４２ａ３であり、その前後端から中央へ向かって徐々に深くなる円弧状の湾曲面となっている。また中央凹部４２ａは図３に示すように、低面部４２ａ３の後部の横幅Ｗ２（左右方向の寸法）が、他の部分（特に一対の載置面部４２ａ１，４２ａ２）の横幅Ｗ１よりも左右に広がった幅広の形態となっている。より詳しくは低面部４２ａ３の左辺は、その後部が前部よりも左側に、低面部４２ａ３の右辺は、その後部が前部よりも右側に位置している。
【００３７】
側方凹部４２ｂは側面視すると、その前部を前方に向かうにつれて上昇する斜面４２ｂ１とし、斜面４２ｂ１よりも後側を水平面４２ｂ２としている。斜面４２ｂ１は軸孔８４（軸挿入溝８３）の前端とほぼ同じ前後位置を基準位置として、その前方の範囲に形成されており、水平面４２ｂ２は同様に前記基準位置に対して、その後方の範囲に形成されている。また側方凹部４２ｂは平面視すると、長方形状で、前後方向の寸法を左右方向の寸法よりも長いものとし、しかも前後方向の寸法を中央凹部４２ａのそれよりも短くし、左右方向の寸法（最大寸法）である横幅Ｗ３を中央凹部４２ａの一対の載置面部４２ａ１，４２ａ２の横幅Ｗ１よりも狭くしてある。また前後方向に関して、側方凹部４２ｂの前端は、引手取付柱８の前端よりも前で、且つ中央凹部４２ａの前端よりも後に位置し、側方凹部４２ｂの後端は、引手取付柱８の後端よりも後で、且つ中央凹部４２ａの後端よりも前に位置している。
また低面部４２ａ３の後部の横幅Ｗ２がその前後よりも幅広になっている関係上、その幅広部分において左側の側方凹部４２ｂの右辺は左側に凹み、右側の側方凹部４２ｂの左辺は右側に凹んでいる。そして側方凹部４２ｂの上面であって凹み部分の側方に位置する部分から加締め部４３が１つずつ突出しており、加締め部４３で板バネ２を加締めたときに、凹み部分は加締め部４３の下端部の変形領域となる。
【００３８】
加締め部４３は、先端が細くなる突起であって、板バネ２を加締める前の段階では、上方へ突出する矩形の角柱状であって、平面視すると矩形の四辺方向は、前後方向及び左右方向に一致する。また加締め部４３は図１０に示すように板バネ２を加締めた後の段階では、側方凹部４２ｂの上面から板バネ２の上方へ向かって側方へ傾いた状態に突出し、板バネ２を上方から覆うようにして抑えている。なお一対の加締め部４３，４３は、左右対称に形成されている。
【００３９】
ストッパー部４４は図２〜４，１１に示すように、上翼板本体４１の上面の前側の先端よりも前後方向中央側から、より詳しくは側方凹部４２ｂの上面の前部（斜面４２ｂ１）から上方に突出すると共に、前柱８１のうち側方凹部４２ｂ側の側面から側方に突出している。しかも一対のストッパー部４４，４４部は左右対称に形成されていることから、一対の引手取付柱８，８の対向面から中央凹部４２ａ側へ向かって一対のストッパー部４４，４４部が突出していることになる。一対のストッパー部４４，４４は左右に対向しており、その後部の上端部が引手３の左右側面３２ｃ，３２ｃに点接触する部分、より詳しく言えば引手本体３２の左右側面３２ｃ，３２ｃの角部３２ｃ１に点接触する部分となる。また、一対のストッパー部４４，４４に接触したときの引手３は、前側の揺動を阻止され、前側に傾斜した状態で上翼板本体４１の上面から離れている。いっぽう引手３の後側の揺動を阻止するのが台座部４５である。
【００４０】
台座部４５は図２〜４，６，１０に示すように、上翼板本体４１の上面であって、左右方向に関しては一対の引手取付柱８，８の間であり、前後方向に関しては凹部４２よりも後方の部分、より詳しく言えば一対の側方凹部４２ｂの後端と中央凹部４２ａの後端から後方の部分である。また台座部４５は水平面となっており、平面視してコ字状となっている。しかも板バネ２を加締めた後の段階の加締め部４３の上端よりも台座部４５は高く、この台座部４５に引手本体３２の平面部３２ａの一部が面接触する。また台座部４５の上面は、加締め部４３が形成される側方凹部４２ｂの上面（側方凹部４２ｂの後部の水平面４２ｂ２）よりも高く形成されている。ちなみに側方凹部４２ｂの水平面４２ｂ２は、中央凹部４２ａの上面（底面）の載置面部４２ａ１，４２ａ２よりも高く形成されている。
【００４１】
上記した本発明の第一実施形態のスライダーＳは、次の（１）〜（３）の手順で組み立てる。
（１）板バネ２を上翼板４の中央凹部４２ａに載せる。このとき設計で、一対の側方凹部４２ｂ，４２ｂの上面を中央凹部４２ａの上面よりも高くし、一対の側方凹部４２ｂ，４２ｂの前後両端を中央凹部４２ａの前後両端よりも中央側としているので、板バネ２の前後端部が左右にずれ難くなり、板バネ２を位置決めし易くなる。
（２）一対の加締め部４３，４３を左右中央側へ向かって傾けるように押し込んで、塑性変形させることによって、一対の加締め部４３，４３で板バネ２を加締めて、中央収容部から板バネ２が抜け外れないようにする。このとき加締め部４３の上端の高さが台座部４５の上面と同じ高さか、それよりも低くなるようにする。ちなみに図１０の例では低くなるようにしてある。
（３）引手３の軸３１の両端部を一対の引手取付柱８，８の軸挿入溝８３，８３に載せて、前柱８１及び後柱８２の上端部を互いの前後間隔を狭めるように塑性変形させる。
【００４２】
このようにして組み立てたスライダーＳは、以下の効果を有する。図６，１０に示すように引手３を後方に倒伏させると、板バネ２の前後中央部に引手３のカム３３が上から接触、または近接する。接触するか近接するかは、スライダーＳの部品の寸法精度による。また接触形態は、二通りある。第一の接触形態は、カム３３が板バネ２をその厚み方向にわずかに弾性変形させる場合である。第二の接触形態は、板バネをその厚み方向に全く弾性変形させることなく、単に接している場合である。第一の接触形態の場合、板バネ２の復元力によってカム３３ひいては引手３が上方へ押し上げられ、引手本体３２の平面部３２ａの一部と台座部４５とが面接触する。第二の接触形態の場合および近接形態の場合、板バネ２の復元力は得られないが、引手本体３２の平面部３２ａの一部と台座部４５とが面接触する。接触形態および近接形態のいずれの場合でも、平面部３２ａのうち面接触する部分は、台座部４５に接触するごとに傷つくことになるが、面接触しているので、傷が目立ち難く、引手３の外観に与える影響を小さくできる。また引手３を後方に倒伏させたときに、加締め部４３の上端が台座部４５の上面よりも低いことから、引手本体３２と加締め部４３とは離れた状態になる。
【００４３】
またスライドファスナーのエレメント列を分離させるために、引手２を少し上方へ回して後方に傾斜させた状態でスライダーＳを使用したとき、図１２，１３に示すように板バネ２は、カム３３によって押され、弾性変形する。弾性変形した場合に、板バネ２が一対の加締め部４３，４３によって覆われるのは、板バネ２のうち前後端よりも中央側の部分（軸３１側の部分）である。板バネ２は、弾性変形すると、その前端部が前側の載置面４２ａ１の後端を支点として上方へ変位し、その後端部が後側の載置面４２ａ２の前端を支点として上方へ変位する。そのうえ板バネ２は弾性変形すると、カム３３によって押された部分が下方へ変位する。そして板バネ２のうち一対の加締め部４３，４３の下方に位置する部分は、板バネ２の前後端よりも前後方向中央側に位置するので、板バネ２の弾性変形時に、板バネ２の前後端よりも上方への変位量が小さくなり、従来よりも加締め部４３は板バネ２によって押し上げられ難くなる。しかも図示の例では板バネ２のうち一対の加締め部４３，４３の下方に位置する部分は、前側の載置面４２ａ１の後端と、後側の載置面４２ａ２の前端との間に位置するので、板バネ２の弾性変形時に、下方へ変位することになるので、加締め部４３は板バネ２によって押し上げられなくなる。したがってスライダーＳを使用しても加締め部４３は板バネ２によって塑性変形しづらくなり、板バネ２が中央凹部４２ａから抜け外れ難くなる。言い換えれば一対の載置面部４２ａ１，４２ａ２の上に板バネ２の前後端部が載っており、低面部４２ａ３の上側を一対の加締め部４３，４３が覆っているので、板バネ２が下方に変位する部分の上側に一対の加締め部４３，４３が位置することになり、一対の加締め部４３，４３が板バネ２によって塑性変形しづらくなり、板バネ２が中央凹部４２ａから抜け外れ難くなる。
【００４４】
なお一対の加締め部４３，４３は、その上端を台座部４５よりも低くしてあるので、引手本体３２に接触せず、使用により引手３を傷つけるおそれはないが、仮にその上端を台座部４５以上にして引手本体３２に接触したとしても、軸３１側に近い位置なので、傷が目立ち難い。
【００４５】
また加締め部４３は、加締められて塑性変形した際に、その下端部が中央凹部４２ａ側へ入り込むが、中央凹部４２ａの後部は幅広形状としてあるので、加締め部４３は板バネ２の側面に接触せずに済む。したがって板バネ２が一対の加締め部４３，４３によって左右方向から押し込まれることは無く、一対の加締め部４３，４３によって板バネ２の弾性変形が邪魔されることは無い。なお仮に一対の加締め部４３，４３が板バネ２に接触していたとしても、板バネ２は一対の加締め部４３，４３との接触部分の下側に空間があるので、弾性変形に与える影響は小さくてすむ。
【００４６】
いっぽう図９，１１に示すように引手３を前方へ回すと、一対のストッパー部４４，４４と引手本体３２とが衝突して、引手３の前方への揺動が阻止される。このとき軸３１に対して引手３の先端は上側に位置するようになっており、それゆえ引手３は前方に傾斜した状態となる。なお、このとき一対のストッパー部４４，４４は、前後方向において、引手３の先端と軸部３１との間、より詳しくは、上翼板本体４１の上面の前側の先端よりも前後方向中央側に位置し、当該位置において引手本体３２に接触する。この一対のストッパー部４４，４４は、たとえば一対のストッパー部４４，４４が上翼板本体４１の上面の前側の先端において引手本体３２に接触するものに比べれば、接触によって生じる引手本体３２の傷が軸３１に近くなり、引手本体３２の外観に与える影響を小さくできる。また一対のストッパー部４４，４４の上端部と引手本体３２の左右側面３２ｃ，３２ｃの角部３２ｃ１，３２ｃ１とが点接触する。そして点接触によって生じる傷は、引手本体３２の左右側面３２ｃ，３２ｃ、しかも一対の角部３２ｃ１，３２ｃ１なので、引手本体３２の外観に与える影響を小さくできる。
【００４７】
またストッパー部４４は、引手取付柱８の側面と側方凹部４２ｂの上面からなる２つの面に支えられているので、破損しづらい。
【００４８】
本発明の第一実施形態のスライダーＳは加締め部４３を左右に１つずつ備える構成であったが、この構成に本発明は限らない。第一実施形態のスライダーＳの変形例に用いるスライダー胴体１が図１４に示されている。このスライダー胴体１は、加締め部４３を前後左右に間隔をあけて４つ備えることを特徴とする。より詳しく言えばスライダー胴体１は、左側の側方凹部４２ｂの上面であって軸挿入溝８３に対して前後に間隔をあけた位置に加締め部４３を１つずつ備え、右側の側方凹部４２ｂの上面にも同様に加締め部４３を１つずつ備えるものである。したがって板バネ２はその左右側部の上方を前後の１カ所ずつ加締め部４３によって加締められる。
【００４９】
本発明の第二実施形態のスライダーＳに用いるスライダー胴体１は図１５に示すように加締め部４３を１つのみ備えていること、各引手取付柱８から側方に離した位置にストッパー部４４を備えていること、各引手取付柱８の下端部の前後に溝部４１ａを備えていることについて、第一実施形態のスライダーＳに用いるスライダー胴体１と相違する。より詳しくは以下の通りである。
【００５０】
加締め部４３は、板バネ２を加締める前の段階では、板バネ２の上面の最高位置よりも高く上方へ突出する長いものであり、板バネ２を加締めた後の段階では、板バネ２を横幅のほぼ全長に亘って覆うようになっている。
ストッパー部４４は、前柱８１から中央凹部４２ａ側の側方に離れた位置において側方凹部４２ｂの上面から上方へ突出している。
溝部４１ａは、上翼板本体４１の上面に合計４つ形成されている。たとえば１つの溝部４１ａは、左側の後柱８２の下端の後方において後柱８２の幅全長に亘って形成されている。他の３つの溝部４１ａも、左右の前柱８１及び右側の後柱８２に同様に形成されている。これら溝部４１ａによって引手取付柱８の全高が、溝部４１ａのない場合に比べて高くなり、軸３１を取り付ける際に、前柱８１と後柱８２の上端部を塑性変形させ易くなる。
【００５１】
本発明の第三実施形態のスライダーＳは図１６に示すようにスライダー胴体１が左右の加締め部４３を前後方向に関して異なる位置に備えること、各引手取付柱８が左右方向にのみ貫通する軸孔８４を備えること、引手３が二部品を組み合わせたものであることについて、第一実施形態のスライダーＳと相違する。より詳しくは以下の通りである。
【００５２】
引手３は、引手本体３２とカム３３との一体物と、軸３１とを別々の部品として備える。引手本体３２とカム３３との一体物は、引手本体３２の長手方向の一端部に左右方向に貫通する軸連結孔３２ｈを備え、軸連結孔３２ｈの半径方向外側に突出するようにして引手本体３２の平面部３２ａの当該一端部側からカム３３を突出させてある。軸３１は、軸連結孔３２ｈの貫通方向の寸法よりも長い円柱状の棒で、その半径を軸連結孔３２ｈの半径よりもわずかに大きくしてある。
【００５３】
左右の加締め部４３，４３のうち一方（図では左側の加締め部４３）は前後方向に関して軸孔８４よりも前側に、他方（図では右側の加締め部４３）は軸孔８４よりも後側に形成されている。
【００５４】
引手取付柱８は、上翼板４の上面から上方に突出する平板８５であり、平板８５の前後及び上下の中央部に左右方向に貫通する軸孔８４が形成されたものである。
【００５５】
第三実施形態のスライダーＳを組み立てる場合は、スライダー胴体１の中央凹部４２ａに板バネ２を載せてから、引手本体３２の長手方向におけるカム３３側の一端部を一対の引手取付柱８，８の間に配置し、一対の引手取付柱８，８の軸孔８４，８４及び引手本体３２の軸連結孔３２ｈに軸３１を通すようにする。なお引手本体３２の軸連結孔３２ｈに軸３１を圧入することによって、引手本体３２と軸３１とは一体化する。以上である。
【００５６】
本発明のスライダーは上記実施形態に限定されるものではなく、その趣旨を逸脱しない範囲において適宜変更可能である。
【符号の説明】
【００５７】
Ｓ  スライダー
１  スライダー胴体
１１  エレメント通路
１２  テープ溝
２  弾性体（板バネ）
３  引手
３１  軸
３２  引手本体
３２ａ  厚み方向の一面（平面部）
３２ｂ  厚み方向の他面
３２ｃ  短辺方向を向く面（側面）
３２ｃ１  角部
３２ｈ  軸連結孔
３３  カム
４  上翼板
４１  上翼板本体
４１ａ  溝部
４２  凹部
４２ａ  中央凹部
４２ａ１、４２ａ２  載置面部
４２ａ３  低面部
Ｗ１  載置面部の横幅
Ｗ２  低面部の後部の横幅
４２ｂ  側方凹部
４２ｂ１  斜面
４２ｂ２  水平面
Ｗ３  側方凹部の横幅
４３  加締め部
４４  ストッパー部
４５  台座部
５  下翼板
６  連結柱
７  フランジ
８  引手取付柱
８１  前柱
８２  後柱
８３  軸挿入溝
８４  軸孔
８５  平板
【図１】
0006503273.tif 000002
【図２】
0006503273.tif 000003
【図３】
0006503273.tif 000004
【図４】
0006503273.tif 000005
【図５】
0006503273.tif 000006
【図６】
0006503273.tif 000007
【図７】
0006503273.tif 000008
【図８】
0006503273.tif 000009
【図９】
0006503273.tif 000010
【図１０】
0006503273.tif 000011
【図１１】
0006503273.tif 000012
【図１２】
0006503273.tif 000013
【図１３】
0006503273.tif 000014
【図１４】
0006503273.tif 000015
【図１５】
0006503273.tif 000016
【図１６】
0006503273.tif 000017